(57)【要約】【課題】ユーザの都合で画像のグループの分け方を決めることができる。【解決手段】撮影によって得られた画像ファイルPICT１〜PICT７がメモリカード内のフォルダ７５内に記憶された後、整理ボタンが押圧されると、第１イベント区切りファイル７７がフォルダ７５内の画像ファイルPICT７の後に作成される。第１イベント区切りファイル７７には、これが作成される以前に撮影された画像ファイルPICT１〜PICT７の各タグ情報から日時情報，ＧＰＳ情報及び地名情報が記録される。以後、整理ボタンが押圧される度にイベント区切りファイルがフォルダ７５内に作成され、イベント区切りファイルで区切られた画像ファイルは同じグループであると見なされ、分類整理される。専用ソフトウエアがインストールされたパソコンによってイベント区切りファイルが検出され、各イベントごとに全画像がスクエア状に一覧表示される。【選択図】図４
2008091977.tif 000002
【特許請求の範囲】
【請求項１】
撮像素子から出力される撮像信号を画像データに変換して記憶媒体に記憶する撮像装置において、
所定の操作部の操作に応答して、この操作以前に記憶媒体に記憶された画像データと前記操作以後に記憶媒体に記憶される画像データとの区切りを示す区切りファイルを作成する区切りファイル作成部と、
前記区切りファイルを記憶媒体に記憶する制御部と
を設けたことを特徴とする撮像装置。
【請求項２】
前記区切りファイルには、この区切りファイルが作成された日時を示す日時情報及び／又は地理的位置を示す地理的位置情報が記録されることを特徴とする請求項１記載の撮像装置。
【請求項３】
前記区切りファイルは、テキストファイルであることを特徴とする請求項１または２記載の撮像装置。
【請求項４】
前記テキストファイルは、HTMLファイルであることを特徴とする請求項３記載の撮像装置。
【請求項５】
前記HTMLファイルには、前記操作以前に別の区切りファイルが記憶媒体内に存在しない場合には前記操作以前に作成された全ての画像ファイルが、又は前記操作以前に別の区切りファイルが記憶媒体内に既に存在する場合には前記別の区切りファイルの作成時から前記操作がなされるまでの間に作成された画像ファイルが、同じグループに属することを示すリンク情報が記録されることを特徴とする請求項４記載の撮像装置。
【請求項６】
撮像素子から出力される撮像信号を画像データに変換するとともに、この画像データに係る付帯情報を前記画像データに添付して画像ファイルを作成し、この画像ファイルを記憶媒体に記憶する撮像装置において、
所定の操作部の操作に応答して、この操作以前に作成された画像ファイルと前記操作以後に作成される画像ファイルとの区切りを示す区切りファイルを作成するとともに、この区切りファイルに、前記操作以前に別の区切りファイルが記憶媒体内に存在しない場合には、前記操作以前に作成された全ての画像ファイルの付帯情報を、前記操作以前に別の区切りファイルが記憶媒体内に既に存在する場合には、前記別の区切りファイルの作成時から前記操作がなされるまでの間に作成された画像ファイルの付帯情報を、それぞれ記録する区切りファイル作成部と、
前記区切りファイルを記憶媒体に記憶する制御部と
を設けたことを特徴とする撮像装置。
【請求項７】
前記付帯情報は、前記画像ファイルが作成された日時を示す日時情報及び／又は地理的位置を示す地理的位置情報であることを特徴とする請求項６記載の撮像装置。
【請求項８】
前記区切りファイルは、テキストファイルであることを特徴とする請求項６または７記載の撮像装置。
【請求項９】
前記テキストファイルは、HTMLファイルであることを特徴とする請求項８記載の撮像装置。
【請求項１０】
前記HTMLファイルには、前記操作以前に別の区切りファイルが記憶媒体内に存在しない場合には前記操作以前に作成された全ての画像ファイルが、又は前記操作以前に別の区切りファイルが記憶媒体内に既に存在する場合には前記別の区切りファイルの作成時から前記操作がなされるまでの間に作成された画像ファイルが、同じグループに属することを示すリンク情報が記録されることを特徴とする請求項９記載の撮像装置。
【請求項１１】
撮像素子から出力される撮像信号を画像データに変換して記憶媒体に記憶する撮像装置において、
所定の操作部の操作に応答して、前記記憶媒体に新規にフォルダを作成するフォルダ作成部と、
前記フォルダの作成以前に記憶媒体に記憶され、未だフォルダに格納されていない画像データを前記新規に作成されたフォルダに移動する制御部と
を設けたことを特徴とする撮像装置。
【請求項１２】
前記制御部は、前記新規に作成されたフォルダに画像データを移動するとともに、前記記憶媒体にテキストファイルを生成し、このテキストファイルに、前記フォルダに移動された画像データが同じグループに属することを示すリンク情報を記録することを特徴とする請求項１１記載の撮像装置。
【請求項１３】
前記テキストファイルは、HTMLファイルであることを特徴とする請求項１２記載の撮像装置。
【請求項１４】
前記請求項１ないし５いずれか記載の撮像装置によって得られた画像データの画像を表示部に再生表示する画像再生表示装置において、
前記操作以前に作成された全ての画像データの画像又は前記別の区切りファイルの作成時から前記操作がなされるまでの間に作成された画像データの画像がマトリックス状の領域内に一覧表示されることを特徴とする画像再生表示装置。
【請求項１５】
前記請求項６ないし１０いずれか記載の撮像装置によって得られた画像ファイルの画像を表示部に再生表示する画像再生表示装置において、
前記区切りファイルに記録された付帯情報に基づいて日時情報及び／又は地理的位置情報を表題として表示するとともに、前記操作以前に作成された全ての画像ファイルの画像又は前記別の区切りファイルの作成時から前記操作がなされるまでの間に作成された画像ファイルの画像がマトリックス状の領域内に一覧表示されることを特徴とする画像再生表示装置。
【請求項１６】
前記請求項１１ないし１３いずれか記載の撮像装置によって得られた画像データの画像を表示部に再生表示する画像再生表示装置において、
前記フォルダ内に格納された画像データの画像がマトリックス状の領域内に一覧表示されることを特徴とする画像再生表示装置。
【発明の詳細な説明】
【技術分野】
【０００１】
本発明は、撮像装置及び画像再生表示装置に関し、更に詳しくは撮影した画像を記憶媒体に記憶する撮像装置及び記憶媒体に記憶された画像を再生表示する画像再生表示装置に関するものである。
【背景技術】
【０００２】
ＣＣＤやＣＭＯＳイメージセンサによって被写体光を撮像信号に光電変換し、この撮像信号をデジタルの画像データに変換してメモリカードなどの記憶媒体に記憶するデジタルカメラやカメラ付き携帯電話などの撮像装置が普及している。メモリカードの記憶容量は、増加の一途をたどり、当初は８ＭＢ〜６４ＭＢ程度であったものが、現在では２５６ＭＢ〜１ＧＢが当たり前になっている。これに伴って、メモリカードに記憶される画像の数は膨大な量になってきており、画像の分類整理が非常に面倒になってきている。
【０００３】
このため、撮影時に撮影日時や撮影場所などを付帯情報として画像データに付与しておき、前記付帯情報に基づいて画像データが自動的に分類整理され、アルバム形式で表示画面に画像が表示されるようにした画像記録再生装置が知られている（例えば特許文献１）。
【特許文献１】特開平０７−１２３３０７号公報
【発明の開示】
【発明が解決しようとする課題】
【０００４】
上記特許文献１では、画像データに付与された付帯情報に基づいて自動的に画像データが分類整理され、確かにユーザの手間が軽減されるが、装置側の勝手な判断でグループ分けされてしまうと困る場合もある。例えば、日付は変わっても同じ場所の画像なら同じグループとしたい場合や、逆に同じ場所でも日時が変わったら別のグループとしたい場合など、ユーザ自身の都合で画像のグループの分け方を決めたい場合も少なくない。
【０００５】
本発明は、上記のような問題点を解決するためになされたもので、ユーザの都合で画像のグループの分け方を決めることができる撮像装置及びこの撮像装置で撮影された画像を見やすく再生表示する画像再生表示装置を提供することを目的とする。
【課題を解決するための手段】
【０００６】
本発明の撮像装置は、撮像素子から出力される撮像信号を画像データに変換して記憶媒体に記憶する撮像装置において、所定の操作部の操作に応答して、この操作以前に記憶媒体に記憶された画像データと前記操作以後に記憶媒体に記憶される画像データとの区切りを示す区切りファイルを作成する区切りファイル作成部と、前記区切りファイルを記憶媒体に記憶する制御部とを設けたことを特徴とする。また、前記区切りファイルには、この区切りファイルが作成された日時を示す日時情報及び／又は地理的位置を示す地理的位置情報が記録されることを特徴とする。
【０００７】
また、前記区切りファイルは、テキストファイルであることを特徴とする。また、前記テキストファイルは、HTMLファイルであることを特徴とする。また、前記HTMLファイルには、前記操作以前に別の区切りファイルが記憶媒体内に存在しない場合には前記操作以前に作成された全ての画像ファイルが、又は前記操作以前に別の区切りファイルが記憶媒体内に既に存在する場合には前記別の区切りファイルの作成時から前記操作がなされるまでの間に作成された画像ファイルが、同じグループに属することを示すリンク情報が記録されることを特徴とする。
【０００８】
また、撮像素子から出力される撮像信号を画像データに変換するとともに、この画像データに係る付帯情報を前記画像データに添付して画像ファイルを作成し、この画像ファイルを記憶媒体に記憶する撮像装置において、所定の操作部の操作に応答して、この操作以前に作成された画像ファイルと前記操作以後に作成される画像ファイルとの区切りを示す区切りファイルを作成するとともに、この区切りファイルに、前記操作以前に別の区切りファイルが記憶媒体内に存在しない場合には、前記操作以前に作成された全ての画像ファイルの付帯情報を、前記操作以前に別の区切りファイルが記憶媒体内に既に存在する場合には、前記別の区切りファイルの作成時から前記操作がなされるまでの間に作成された画像ファイルの付帯情報を、それぞれ記録する区切りファイル作成部と、前記区切りファイルを記憶媒体に記憶する制御部とを設けたことを特徴とする。
【０００９】
また、前記付帯情報は、前記画像ファイルが作成された日時を示す日時情報及び／又は地理的位置を示す地理的位置情報であることを特徴とする。また、前記区切りファイルは、テキストファイルであることを特徴とする。また、前記テキストファイルは、HTMLファイルであることを特徴とする。また、前記HTMLファイルには、前記操作以前に別の区切りファイルが記憶媒体内に存在しない場合には前記操作以前に作成された全ての画像ファイルが、又は前記操作以前に別の区切りファイルが記憶媒体内に既に存在する場合には前記別の区切りファイルの作成時から前記操作がなされるまでの間に作成された画像ファイルが、同じグループに属することを示すリンク情報が記録されることを特徴とする。
【００１０】
また、撮像素子から出力される撮像信号を画像データに変換して記憶媒体に記憶する撮像装置において、所定の操作部の操作に応答して、前記記憶媒体に新規にフォルダを作成するフォルダ作成部と、前記フォルダの作成以前に記憶媒体に記憶され、未だフォルダに格納されていない画像データを前記新規に作成されたフォルダに移動する制御部とを設けたことを特徴とする。また、前記制御部は、前記新規に作成されたフォルダに画像データを移動するとともに、前記記憶媒体にテキストファイルを生成し、このテキストファイルに、前記フォルダに移動された画像データが同じグループに属することを示すリンク情報を記録することを特徴とする。また、前記テキストファイルは、HTMLファイルであることを特徴とする。
【００１１】
本発明の画像再生表示装置は、前記撮像装置によって得られた画像データの画像を表示部に再生表示する画像再生表示装置において、前記操作以前に作成された全ての画像データの画像又は前記別の区切りファイルの作成時から前記操作がなされるまでの間に作成された画像データの画像がマトリックス状の領域内に一覧表示されることを特徴とする。
【００１２】
また、前記撮像装置によって得られた画像ファイルの画像を表示部に再生表示する画像再生表示装置において、前記区切りファイルに記録された付帯情報に基づいて日時情報及び／又は地理的位置情報を表題として表示するとともに、前記操作以前に作成された全ての画像ファイルの画像又は前記別の区切りファイルの作成時から前記操作がなされるまでの間に作成された画像ファイルの画像がマトリックス状の領域内に一覧表示されることを特徴とする。
【００１３】
また、前記撮像装置によって得られた画像データの画像を表示部に再生表示する画像再生表示装置において、前記フォルダ内に格納された画像データの画像がマトリックス状の領域内に一覧表示されることを特徴とする。
【発明の効果】
【００１４】
本発明の撮像装置によれば、所定の操作部の操作により、この操作以前に記憶媒体に記憶された画像データと前記操作以後に記憶媒体に記憶される画像データとの区切りを示す区切りファイルを作成するとともに、この区切りファイルを記憶媒体に記憶するようにしたので、ユーザの都合で画像のグループの分け方を決めることができる。また、前記区切りファイルには、これを作成した日時情報及び／又は地理的位置情報を記録するので、後々の整理に便利である。
【００１５】
また、前記区切りファイルは、テキストファイルとしたので、区切りファイルのファイルサイズを小さくでき、区切りファイルによる記憶媒体の圧迫を小さくすることができる。また、前記テキストファイルをHTMLファイルとすると、単なるプレーンテキストと異なり、後でＷｅｂブラウザなどのソフトウエアで開けば見やすく表示できる。また、このHTMLファイルには、区切りファイルで区切られた画像ファイル同じグループに属することを示すリンク情報を記録するので、前記区切りファイルを所定のソフトウエア（Ｗｅｂブラウザなど）で開くだけで、同じグループに属する全ての画像を簡単に表示することができる。
【００１６】
また、操作部を操作することにより操作以前に作成された画像ファイルと前記操作以後に作成される画像ファイルとの区切りを示す区切りファイルを作成して記憶媒体に記憶するとともに、前記区切りファイルに、前記操作以前に別の区切りファイルが記憶媒体内に存在しない場合には、前記操作以前に作成された全ての画像ファイルの付帯情報を、前記操作以前に別の区切りファイルが記憶媒体内に既に存在する場合には、前記別の区切りファイルの作成時から前記操作がなされるまでの間に作成された画像ファイルの付帯情報を、それぞれ記録するので、ユーザの都合で画像のグループの分け方を決めることができる。
【００１７】
また、前記付帯情報を画像ファイルが作成された日時を示す日時情報及び／又は地理的位置を示す地理的位置情報とすれば、後々の整理に便利である。なお、前記地理的位置情報は、撮影地の経度及び緯度やこれに基づいて求められる地名などであり、撮影地の経度及び緯度は、複数のＧＰＳ（Global Positioning System ）衛星からの電波を受信するＧＰＳ装置によって取得される。
【００１８】
また、所定の操作部の操作により、記憶媒体に新規にフォルダを作成するとともに、前記フォルダの作成以前に記憶媒体に記憶され、未だフォルダに格納されていない画像データを新規に作成されたフォルダに移動するので、ユーザの都合で画像のグループの分け方を決めることができる。また、新規に作成された記憶媒体にテキストファイルを生成してリンク情報を記録するので、フォルダ内の画像データが同じグループに属することを示すことができる。また、前記テキストファイルをHTMLファイルとすれば、このHTMLファイルを所定のソフトウエアで開くだけで、同じグループに属する全ての画像を簡単に表示することができる。
【００１９】
本発明の画像再生表示装置によれば、操作部の操作以前に作成された全ての画像データの画像又は別の区切りファイルの作成時から前記操作がなされるまでの間に作成された画像データの画像がマトリックス状の領域内に一覧表示されるので、区切りファイルによって区切られた画像データを１つのグループとすれば、このグループ分けされた画像データの画像の全体を一望することができ、そのグループがどのような特色をもったグループであるかを瞬時に把握することができる。
【００２０】
また、各フォルダ内に格納された画像データの画像がマトリックス状の領域内に一覧表示されるので、各フォルダに格納された画像データの画像を各フォルダごとに一望することができ、各フォルダに格納された画像データの画像が１つのグループとしてどのような特色をもっているのか、瞬時に把握することができる。
【発明を実施するための最良の形態】
【００２１】
本発明の撮像装置の実施形態であるデジタルカメラの外観を示す図１において、デジタルカメラ１０のカメラボディ１１の前面には、沈胴式の撮影レンズ１２、ストロボ発光部１３、オートフォーカス（ＡＦ）補助光投光窓１４及び調光センサ１５の他、本発明に係る整理ボタン１６が設けられている。
【００２２】
前記整理ボタン１６は、グリップ部１７を右手で把持した際に、右手の人指し指や中指で押圧しやすい位置に配置され、詳しくは後述するように、これを押圧操作することにより、メモリカード内にイベントごとの区切りを示すイベント区切りファイルが作成され、このイベント区切りファイルで区切られた画像群が同じ１つのグループとして分類整理される。
【００２３】
なお、本実施形態の「イベント」は、広義の意味であり、例えば一般的な意味である「行事」や「催し物」などの他、ユーザが自身の都合で決めた「旅行先」，「撮影地」，「撮影期間」なども含むものとする。つまり、「イベント」は、ユーザが自身の都合で自由に決めることができ、結果として画像のグループの分け方はユーザ自身の都合で自由に決めることができる。
【００２４】
また、カメラボディ１１の上面には、回転させることによりオートやマニュアル等の撮影モードを切り替えるリング状のモード切替ダイヤル１８，この中心部に設けられたシャッタボタン１９，その側方に電源ボタン２０が配設されている。
【００２５】
デジタルカメラ１０の電気的構成を示す図２において、ＣＰＵ３０は、操作部３１から入力される各種の操作信号に応じて、バス３２を介してデジタルカメラ１０の各部を制御する。前記操作部３１には、前記整理ボタン１６，モード切替ダイヤル１８，シャッタボタン１９，電源ボタン２０等が含まれる。
【００２６】
撮影レンズ１２は、レンズ３５と絞り３６からなる。レンズ３５は、モータを含むレンズ駆動機構３８によって駆動され、ピント合せとズーミングが行なわれる。また、絞り３６は、モータを含む絞り駆動機構３９によって駆動されて絞り径が切り換えられる。前記レンズ駆動機構３８及び絞り駆動機構３９は、ＣＰＵ３０に制御されるモータドライバ４１，４２によって駆動される。
【００２７】
撮影レンズ１２の背後には、撮像素子であるＣＣＤ４５が配置されている。このＣＣＤ４５は、ＣＣＤ駆動部４６によって駆動される。スルー画表示の際にはＣＣＤ４５からフィールド画（偶数フィールド又は奇数フィールド）の撮像信号が読み出され、ＣＤＳ／ＡＭＰ回路５０に入力される。また、本番撮影時にはＣＣＤ４５からフレーム画の撮像信号が読み出され、ＣＤＳ／ＡＭＰ回路５０に入力される。
【００２８】
前記ＣＤＳ／ＡＭＰ回路５０は、相関二重サンプリング回路（ＣＤＳ）と、増幅器（ＡＭＰ）とからなる。ＣＤＳは、ＣＣＤ４５が出力した撮像信号からＲ，Ｇ，Ｂのアナログ画像信号を生成する。ＡＭＰは、前記Ｒ，Ｇ，Ｂのアナログ画像信号を増幅する。
【００２９】
前記ＣＤＳ／ＡＭＰ回路５０で増幅された撮像信号は、Ａ／Ｄ変換器５１によりデジタルの画像データに変換された後、デジタル信号処理回路５２に送られ、輪郭強調処理，メディアンフィルタ，コアリング処理や自動ホワイトバランス等が施される。この画像データがスルー画表示用の場合には、ＳＤＲＡＭ５３に一時的にストアされた後、ビデオエンコーダ５４を介してＬＣＤ５５に送られ、スルー画が表示される。
【００３０】
前記ＬＣＤ５５は、撮影時に電子ファインダとして使用されるとともに、撮影した画像のプレビュー画やメモリカードから読み出した再生画像などが画面上に表示される。また、前記デジタル信号処理回路５２から出力された画像データが本番撮影によるもの（フレーム画）である場合には、前記ＳＤＲＡＭ５３に一時的にストアされた後、圧縮処理回路５７で圧縮処理が施されてから、メディアコントローラ５８を介してメモリカード５９に記憶される。
【００３１】
前記バス３２には、前記デジタル信号処理回路５２，ＳＤＲＡＭ５３，ビデオエンコーダ５４，圧縮処理回路５７，メディアコントローラ５８等の他に、ＡＥ検出回路６１，ＡＦ検出回路６２，フラッシュメモリ６３，ＧＰＳ（Global Positioning System ）モジュール６４及び時計部６５が接続されている。なお、ＧＰＳモジュール６４には、周知のＧＰＳアンテナ６６が接続されている。
【００３２】
前記ＡＥ検出回路６１は、撮像信号の輝度信号を積分演算し、得られた輝度積分値を測光データとしてＣＰＵ３０に送る。ＣＰＵ３０は、前記輝度データに基づいて自然光だけでは被写体輝度が不足であると判断した場合には、ストロボ装置５６を駆動してストロボ発光部１３を発光する。このストロボ発光の停止は、調光センサ１５からストロボ装置５６に入力される信号に基づいて行われる。
【００３３】
前記ＡＦ検出回路６２は、撮像信号を空間周波数成分に分解し、このうち高周波数成分のコントラストデータをＣＰＵ３０に送る。ＣＰＵ３０は、モータドライバ４１を介してレンズ駆動機構３８を制御し、フォーカシングレンズを光軸方向に進退させて、被写体像の高周波数成分のコントラストが最も高くなる位置で停止させる。
【００３４】
前記フラッシュメモリ６３は、周知の不揮発性メモリであり、後述する経度及び緯度からなる地理的位置情報と、前記経度及び緯度に該当する地名を示す地名情報との関係を示すルックアップテーブル（ＬＵＴ）６０を記憶している他、各種のデータやプログラム，各種制御用のパラメータなどを記憶している。
【００３５】
前記ＧＰＳモジュール６４は、周知のように、ＧＰＳアンテナ６６を介して複数のＧＰＳ衛星と交信して経度及び緯度からなる地理的位置情報（ＧＰＳ情報）を取得してＣＰＵ３０に送る。また、前記時計部６５は、常に日時を計時しており、その日時情報をＣＰＵ３０に送る。
【００３６】
前記ＣＰＵ３０は、シャッタボタン１９の全押し操作（本番撮影）に応答して、その時のＧＰＳ情報に基づいてＬＵＴ６０を参照し、前記ＧＰＳ情報に対応する地名を求める。そして、ＣＰＵ３０は、図３に示すように、前記時計部６５からの日時情報６７と、経度及び緯度からなるＧＰＳ情報６８と、このＧＰＳ情報６８に対応する地名情報６９とをEXIFフォーマットの画像ファイルPICT１のタグ情報７１の一部として画像ファイルPICT１に記録する。また、前記画像ファイルPICT１内の符号７２はJPEG形式で圧縮された画像データである主画像、符号７３は主画像を縮小したサムネイル画像を示す。なお、画像ファイルの形式は、タグ情報を付与できれば、EXIFフォーマットでなくてもよい。また、画像データはJPEG形式に限らず、例えばTIFF（Taged Imafe File Format ）形式でもよい。
【００３７】
前記画像ファイルPICT１は、図４に示すように、予めメモリカード５９内に作成されているフォルダ７５内に記録され、以後、撮影順に画像ファイルPICT２，PICT３，・・・が記録される。そして、画像ファイルPICT７が記録された後、行事や撮影地などのイベントが変わったところで、ユーザが整理ボタン１６を押圧すると、テキストファイルである第１イベント区切りファイル７７がフォルダ７５内の画像ファイルPICT７の後に作成される。なお、前記「イベントが変わったところ」は、ユーザ自身の都合で自由に決めることができる。
【００３８】
前記第１イベント区切りファイル７７の作成時には、この作成以前に既に別のイベント区切りファイルがフォルダ７５内に存在するか否かが検索される。本実施形態では、存在しないから、第１イベント区切りファイル７７が作成される前にフォルダ７５内に記録されている全ての画像ファイルPICT１〜PICT７の各タグ情報７１から日時情報６７，ＧＰＳ情報６８及び地名情報６９が読み出され、図５に示すように、第１イベント区切りファイル７７に記録される。
【００３９】
前記第１イベント区切りファイル７７が作成された後、本番撮影を行なうと、撮影順に画像ファイルPICT８，PICT９，・・・がフォルダ７５内に記録される。そして、画像ファイルPICT１１がフォルダ７５内に記録された後、整理ボタン１６が押されると、前記第１イベント区切りファイル７７と同様の第２イベント区切りファイル７８が画像ファイルPICT１１の後に作成される。
【００４０】
この第２イベント区切りファイル７８の作成時にも、この作成以前に既に別のイベント区切りファイルがフォルダ７５内に存在するか否かが検索される。本実施形態では、既に第１イベント区切りファイル７７が存在しているから、第１イベント区切りファイル７７の作成後、第２イベント区切りファイル７８の作成以前のPICT８，PICT９，・・・，PICT１１の各タグ情報７１から日時情報６７，ＧＰＳ情報６８及び地名情報６９が読み出され、第２イベント区切りファイル７８に記録される。
【００４１】
以後、整理ボタン１６が押されるごとに、第３イベント区切りファイル，・・・，第ｎイベント区切りファイル，・・・（ｎは自然数）がメモリカード５９内のフォルダ７５内に作成される。こうして作成されたイベント区切りファイルによって区切られた画像ファイルは同じグループであると見なされ、画像ファイルが分類整理される。
【００４２】
撮影終了後に撮影済みの画像を再生表示するには、デジタルカメラ１０に背面に設けられたＬＣＤ５５を用いることも可能であるが、画面が小さいため、画像再生表示装置としてパーソナルコンピュータを用いるのが好ましい。
【００４３】
図６に示すように、パーソナルコンピュータ（以下パソコンという）８０は、周知のように、ＣＰＵ８１を実装したマザーボード８２を有し、これにメモリカード５９を装着するカードスロット８４，ハードディスク（以下ＨＤという）８５，外部のＬＣＤ８６がそれぞれ接続されている。そして、前記ＨＤ８５には、デジタルカメラ１０に添付された専用ソフトウエアを予めインストールしておく。
【００４４】
デジタルカメラ１０からメモリカード５９を取り出してパソコン８０のカードスロット８４に装着すると、前記専用ソフトウエアが自動的に起動してフォルダ７５内のイベント区切りファイルを検索する。これにより、画像表示を行なっておらず作成日が最も古い第１イベント区切りファイル７７が検出され、これ以前に撮影された画像ファイルPICT１〜PICT７が検出される。
【００４５】
前記専用ソフトウエアによりＣＰＵ８１は、画像ファイルPICT１〜PICT７の数≦ｎ×ｎ（ｎの二乗）を満たす最小のｎ（ｎは自然数）を算出する。本実施形態では、画像ファイルPICT１〜PICT７の数は「７」であるから、ｎは「３」となる。次に、画像ファイルPICT１〜PICT７からサムネイル画像７３が読み出され、図７に示すように、ＬＣＤ８６の画面８６ａに設定された３個×３個のサムネイル画像７３が収納されるほぼ正方形の仮想線で示す矩形領域８８内に、画像ファイルPICT１〜PICT７の各サムネイル画像７３が表示される。これにより、第１イベントで撮影された全ての画像が一望され、第１イベントの全体像を瞬時に把握できる。
【００４６】
この時、全てのサムネイル画像７３がそのままでは矩形領域８８内に納まらない場合には、納まるサイズにサムネイル画像７３が変換される。また、サムネイル画像７３の下方部には、その画像を撮影した日時とＧＰＳ情報（本実施形態では地名）が表示される。
【００４７】
また、第１イベント区切りファイル７７から表題「第１イベント区切りファイル」９０が読み出されて画面８６ａの最上方部に表示される。また、第１イベント区切りファイル７７から、最も旧い日付と最も新しい日付とが読み出され、第１イベントでの撮影期間「2006.08.06〜2006.08.08」９１が表題９０の下方に表示される。また、第１イベント区切りファイル７７から、第１イベントとしての撮影地の地名「北海道  礼文島」９２が撮影期間９１の右側方に表示される。
【００４８】
次に、上記実施形態の作用について説明する。ユーザがイベントである旅行先などの撮影地，例えば北海道の礼文島に到着し、撮影を行なう。ユーザは、礼文島での撮影を終了し、例えば利尻島に移動する前に、図８のフローチャートに示すように、整理ボタン１６を押圧する（ｓｔ１）。これによって、第１イベント区切りファイル７７がメモリカード５９内のフォルダ７５内の画像ファイルPICT７の後に作成される（ｓｔ２）。なお、整理ボタン１６を押圧するタイミングはユーザ自身の自由に任せられる。
【００４９】
続いて、第１イベント区切りファイル７７が作成される以前に撮影された画像ファイルPICT１〜PICT７の各タグ情報７１から日時情報６７，ＧＰＳ情報６８及び地名情報６９が読み出され、第１イベント区切りファイル７７に記録される（ｓｔ３）。
【００５０】
以後、デジタルカメラ１０の電源をオフにするまで（ｓｔ４）、整理ボタン１６を押圧すれば、イベント区切りファイルがフォルダ７５内に作成される。これにより、各イベントごとに画像がグループ分けされ、画像の分類整理が簡単にできる。また、イベント区切りファイルはテキストファイルであるからメモリ使用量がきわめて小さく、メモリカードの容量を圧迫するおそれがない。
【００５１】
なお、ユーザが意図的にフォルダ７５とは別の新たなフォルダをメモリカード５９内に作成した場合には、以後のイベント区切りファイルはその新しいフォルダに作成される。
【００５２】
全ての撮影が終了して、ユーザが帰宅した後、デジタルカメラ１０からメモリカード５９を取り出してパソコン８０のカードスロット８４に装着する。図９のフローチャートに示すように、専用ソフトウエアが自動的に起動してフォルダ７５内にイベント区切りファイルが存在するか否かが検索される（ｓｔ１１）。
【００５３】
イベント区切りファイルが見つかった場合には、画像表示を行なっておらず作成日が最も古い第１イベント区切りファイル７７が検出される（ｓｔ１２）。なお、画像表示に使用されたイベント区切りファイルであるか否かは、専用ソフトウエアの履歴ファイルに記録される。
【００５４】
次に、第１イベント区切りファイル７７から表題，最も旧い日付及び最も新しい日付及び撮影地の地名が読み出され、表題「第１イベント区切りファイル」９０，最も旧い日付及び最も新しい日付に基づく撮影期間「2006.08.06〜2006.08.08」９１，地名「北海道  礼文島」９２がＬＣＤ８６の画面８６ａの上方部に表示される（ｓｔ１３）。
【００５５】
次に、第１イベント区切りファイル７７の作成日よりも以前に撮影された画像ファイルPICT１〜PICT７が検出され、画像ファイルPICT１〜PICT７の数≦ｎ×ｎ（ｎの二乗）を満たす最小のｎ（ｎは自然数）が算出される（ｓｔ１４）。画像ファイルPICT１〜PICT７の数は「７」であるから、ｎは「３」となる。
【００５６】
画像ファイルPICT１〜PICT７からサムネイル画像７３が読み出され、そのままではＬＣＤ８６の１ページの画面８６ａに設定されたほぼ正方形の矩形領域８８内に納まらない場合には、納まるサイズにサムネイル画像７３が変換され（ｓｔ１５）、矩形領域８８内に一覧表示される（ｓｔ１６）。
【００５７】
次に、ＬＣＤ８６の画面が次のページに変り（改ページ）（ｓｔ１７）、フォルダ７５内に第１イベント区切りファイル７７以外のイベント区切りファイルが存在するか否かが検索される（ｓｔ１１）。本実施形態では、第１イベント区切りファイル７７の次に古い第２イベント区切りファイル７８が見つかるから（ｓｔ１２）、上述した第１イベント区切りファイル７７の場合と同様に、第２イベント区切りファイル７８から表題，日付，地名が読み出され、ＬＣＤ８６の画面の上方部に表示される（ｓｔ１３）。
【００５８】
そして、第１イベント区切りファイル７７と第２イベント区切りファイル７８とで仕切られた範囲内（撮影日時で判別）にある画像ファイルPICT８〜PICT１１が検出され、画像ファイルPICT８〜PICT１１の数が４であるから、ｎ＝２と算出される（ｓｔ１４）。画像ファイルPICT８〜PICT１１からサムネイル画像７３が読み出され、２個×２個分の領域内に納まるように画像サイズが変換されてから（ｓｔ１５）、ＬＣＤ８６の画面に一覧表示される（ｓｔ１６）。
【００５９】
以下同様に、全てのイベント区切りファイルが作成日順に検出され、隣接する一対のイベント区切りファイルで区切られた画像ファイルのサムネイル画像がＬＣＤ８６の１ページの画面内にスクエア状にそれぞれ表示される。これにより、ユーザは各イベントごとに撮影された全ての画像を一望でき、イベントの内容を簡単に把握できる。
【００６０】
上記実施形態では、イベント区切りファイルを「テキストファイル」としたが、単なるプレーンテキストではなく、この中にタグと呼ばれる、文章の属性などを指定する書式を書き込むことで作成する「HTMLファイル」としてもよい。この場合には、イベント区切りファイル１００に、画像ファイルの表題，日時，地名の各情報の他、各画像ファイルとのリンク情報１０１を記録する（図１０参照）。これにより、撮影終了後にメモリカードをパソコンにセットし、前記イベント区切りファイル１００を専用ソフトウエアで開けば、改めてイベント区切りファイルで区切られた画像ファイルを検索することなく、ＬＣＤの画面に図７と同様の表示がなされる。なお、図１０に示す例では、表題として日時を用い、地名は省略している。
【００６１】
また、上記実施形態では、予めメモリカード内にフォルダを作成し、この中に画像ファイルを記録するようにしたが、本発明はこれに限定されることなく、例えばフォルダを作成することなくメモリカード内に直に画像ファイルを記録するようにしてもよい。この場合には、当然ながらイベント区切りファイルもメモリカード内に直に記録される。
【００６２】
次に、別の実施形態について図１１，１２を参照して説明する。なお、本実施形態の外観及び内部構造は、前記実施形態と同じ（図１及び図２参照）であるから説明を省略する。本実施形態のデジタルカメラは、通常の撮影においてはフォルダを作成することなくメモリカード内に直に画像ファイルを記録する。
【００６３】
図１２のフローチャートに示すように、整理ボタン１６を押圧すると（ｓｔ２１）、ＣＰＵ３０は、まずメモリカード５９内の画像ファイルを検索して、メモリカード５９内に既に画像ファイルが記憶されているか否かを確認する（ｓｔ２２）。メモリカード５９内に画像ファイルが記憶されていない場合には、ＣＰＵ３０は、警告音を発するかＬＣＤ５５に警告表示を行なって、メモリカード５９内に画像ファイルが存在しない旨をユーザに知らせる（ｓｔ２３）。なお、この場合には、新規のフォルダを作成しない。
【００６４】
メモリカード５９内に画像ファイルPICT５１〜PICT５７が記憶されている場合には、図１１に示すように、ＣＰＵ３０がメモリカード５９内に新規のフォルダ１０５を生成する（ｓｔ２４）。このフォルダ１０５のフォルダ名には、例えばその作成日時が用いられる。そして、ＣＰＵ３０は、フォルダ１０５の生成以前にメモリカード５９内に記憶されている画像ファイルPICT５１〜PICT５７をフォルダ１０５内に移動する（ｓｔ２５）。これにより、画像の分類整理（グループ化）が行なわれる。以下、デジタルカメラの電源をオフにしない限り（ｓｔ２６）、整理ボタンを押圧すると（ｓｔ２１）、上記と同じシーケンスが繰り返し実行される。
【００６５】
このように整理された画像を鑑賞するには、メモリカード５９をパソコン８０のカードスロット８４に装着する（図６参照）。図１３のフローチャートに示すように、パソコン８０に予めインストールされている専用ソフトウエアが起動して画像未表示のフォルダがメモリカード５９内にあるか否かが検索される（ｓｔ３１）。なお、既に画像が表示されたフォルダは、専用ソフトウエアの表示履歴にそのフォルダ名が記録されているから、画像未表示のフォルダがメモリカード５９内にあるか否かは、前記表示履歴を参照することにより判別される。
【００６６】
複数個のフォルダが検出された場合には、その中で作成日時が最も古いフォルダが開かれる（ｓｔ３２）。本実施形態では、フォルダ１０５が開かれる。そして、図１４に示すように、フォルダ１０５のフォルダ名（フォルダ１０５の作成日時）が表題（ページタイトル）１１０としてＬＣＤ８６の画面に表示される。一方、専用ソフトウエアにより、画像ファイルPICT５１〜PICT５７の数≦ｎ×ｎ（ｎの二乗）を満たす最小のｎ（ｎは自然数）が算出される（ｓｔ３４）。画像ファイルPICT５１〜PICT５７の数は「７」であるから、ｎは「３」である。
【００６７】
画像ファイルPICT５１〜PICT５７からサムネイル画像１１１が読み出され、そのままではＬＣＤ８６の１ページの画面８６ａに設定されたほぼ正方形の矩形領域１１２内に納まらない場合には、納まるサイズにサムネイル画像１１１が変換され（ｓｔ３５）、前記矩形領域１１２内に一覧表示される（ｓｔ３６）。次に、ＬＣＤ８６の画面が次のページに改ページされ（ｓｔ３７）、上記ステップ３１（ｓｔ３１）〜ステップ３６（ｓｔ３６）のシーケンスが繰り返し実行される。
【００６８】
なお、前記フォルダ名には、その作成日時を用いたが、ＧＰＳモジュール６４から得られたＧＰＳ情報を用いてもよいし、また、日時とＧＰＳ情報の両方を用いてもよい。
【００６９】
また、新規のフォルダ１０５を作成して画像ファイルPICT５１〜PICT５７をフォルダ１０５内に移動した後、フォルダ１０５の外（メモリカード内）又は内にHTMLファイルを作成し、このHTMLファイルに画像ファイルPICT５１〜PICT６０が同じグループであることを示すリンク情報を記録するようにしてもよい。これにより、撮影終了後にメモリカードをパソコン８０にセットし、前記HTMLファイルを専用ソフトウエアで開けば、改めてフォルダ１０５内の画像ファイルPICT５１〜PICT５７を検索して各サムネイル画像１１１を読み出すまでもなく、スピーディに画像ファイルPICT５１〜PICT６０の各サムネイル画像１１１をＬＣＤ８６の画面８６ａに表示することができる（図１４参照）。なお、前記HTMLファイルには、前記リンク情報の他、表題，日時，地名（ＧＰＳ情報）などを記録するのがことが好ましい。
【００７０】
以上説明した実施形態では、画像がｎ×ｎのほぼ正方形の矩形領域内に納まるように表示したが、本発明はこれに限定されることなく、マトリックス状の領域（例えば長方形の領域）内に納まるように表示すればよい。また、上記実施形態では、画像再生表示装置としてパーソナルコンピュータを採用したが、本発明はこれに限定されることなく、例えば専用の画像再生表示装置を用いてもよい。この場合には、携帯に便利なサイズ及び重量とするのが好ましい。
【図面の簡単な説明】
【００７１】
【図１】本発明の実施形態であるデジタルカメラの外観を示す斜視図である。
【図２】デジタルカメラの電気的な構成を示すブロック図である。
【図３】画像ファイルの一例を示す説明図である。
【図４】フォルダ内に記録されたイベント区切りファイルを示す説明図である。
【図５】イベント区切りファイルをテキストファイルとした場合の一例を示す説明図である。
【図６】パーソナルコンピュータの概略的な構成を示す説明図である。
【図７】サムネイル画像をＬＣＤの画面に一覧表示した例を示す説明図である。
【図８】整理ボタンの押圧に係るシーケンスを示すフローチャートである。
【図９】イベント区切りファイルで区切られた画像を一覧表示するシーケンスを示すフローチャートである。
【図１０】イベント区切りファイルをHTMLファイルとした場合の一例を示す説明図である。
【図１１】別の実施形態に係るフォルダを示す説明図である。
【図１２】整理ボタンの押圧に係るシーケンスを示すフローチャートである。
【図１３】フォルダ内の画像を一覧表示するシーケンスを示すフローチャートである。
【図１４】サムネイル画像をＬＣＤの画面に一覧表示した例を示す説明図である。
【符号の説明】
【００７２】
１０  デジタルカメラ
１６  整理ボタン
３０  ＣＰＵ
５５，８６  ＬＣＤ
５９  メモリカード
６０  ＬＵＴ
６４  ＧＰＳモジュール
６５  時計部
６７  日時情報
６８  ＧＰＳ情報
６９  地名情報
７１  タグ情報
７２  主画像
７３，１１１  サムネイル画像
７５，１０５  フォルダ
７７，７８，１００  イベント区切りファイル
８０  パーソナルコンピュータ
８８，１１２  矩形領域
９０，１１０  表題
９１  撮影期間
９２  地名
PICT１，PICT２，・・・  画像ファイル
【図１】
2008091977.tif 000003
【図２】
2008091977.tif 000004
【図３】
2008091977.tif 000005
【図４】
2008091977.tif 000006
【図５】
2008091977.tif 000007
【図６】
2008091977.tif 000008
【図７】
2008091977.tif 000009
【図８】
2008091977.tif 000010
【図９】
2008091977.tif 000011
【図１０】
2008091977.tif 000012
【図１１】
2008091977.tif 000013
【図１２】
2008091977.tif 000014
【図１３】
2008091977.tif 000015
【図１４】
2008091977.tif 000016